(57)【要約】【課題】  発光部から発光される照明光の配向状態を適切に制御する。【解決手段】  装置本体４と、装置本体４の前面６側に設けられた撮影レンズ８を介して被写体からの被写体光を撮像する撮像素子と、前記撮像素子で撮像した画像又は情報を電気的に表示可能な表示部を備え、且つ該表示部と共に、装置本体４の前面６側とは反対側である背面１６側に収容した第１状態と、装置本体４の上面１０から突出せしめた第２状態とに切り替え可能な表示ユニット２０と、表示ユニット２０の前記表示部の設置面とは反対側に設けられ、前記被写体を照明する照明光を発光する発光部２６とを有する。【選択図】  図３
2010016504.tif 000002
【特許請求の範囲】
【請求項１】
装置本体と、
前記装置本体の前面側に設けられた撮影レンズを介して被写体からの光を撮像する撮像素子と、
前記撮像素子で撮像した画像又は情報を電気的に表示可能な表示部を備え、且つ該表示部と共に、前記装置本体の前記前面側とは反対側である背面側に収容した第１状態と、該装置本体の上面から突出せしめた第２状態とに切り替え可能な表示ユニットと、
前記表示ユニットの前記表示部の設置面とは反対側に設けられ、前記被写体を照明する照明光を発光する発光部と
を有することを特徴とする撮像装置。
【請求項２】
前記表示ユニットは、前記装置本体の前記上面からの突出状態を変更可能であり、
前記表示ユニットの前記突出状態に関する情報を検出する検出部と、
前記検出部によって検出された前記情報に基づいて、前記発光部から発光される前記照明光の配向状態を制御する配向制御部と
を有することを特徴とする請求項１に記載の撮像装置。
【請求項３】
前記表示ユニットを前記第１状態と第２状態とに切り替えるために、前記装置本体の背面に沿ってスライド移動する可動機構を有し、
前記検出部は、前記表示ユニットの前記背面上でのスライド量を検出し、
前記配向制御部は、前記検出部により検出された前記スライド量に基づいて、前記配向状態を制御することを特徴とする請求項２に記載の撮像装置。
【請求項４】
前記表示ユニットを前記第１状態と前記第２状態とに切り替えるために、前記装置本体に対して回転駆動する可動機構を有し、
前記検出部は、前記表示ユニットの前記装置本体に対する回転量を検出し、
前記配向制御部は、前記検出部により検出された前記回転量に基づいて、前記配向状態を制御することを特徴とする請求項２記載の撮像装置。
【請求項５】
被写体までの距離に関する情報を測定する測定部と、
前記測定部により測定された前記情報に基づいて、前記可動機構によるスライド量又は前記回転量を算出する可動量算出部とを備え、
前記配向制御部は、前記可動量算出部により算出されたスライド量又は回転量に従って前記可動機構を動作させることを特徴とする請求項３又は４記載の撮像装置。
【請求項６】
前記発光部は、前記表示ユニットに対して回転可能に設けられていることを特徴とする請求項５記載の撮像装置。
【請求項７】
前記測定部により測定された前記情報と前記検出部により検出された前記表示ユニットの前記突出状態に関する情報とに基づいて、前記発光部の前記表示ユニットに対する回転量を算出する算出部を有し、
前記配向制御部は、前記算出部で算出された前記回転量に基づいて、前記発光部を回転制御することを特徴とする請求項６記載の撮像装置。
【請求項８】
前記装置本体の前記背面側には、情報を電気的に表示可能な第２表示部が設けられており、
前記表示ユニットは、前記第１状態のときには、前記第２表示部を遮蔽し、前記第２状態のときには、前記第２表示部の少なくとも一部を露出することを特徴とする請求項１〜７の何れか一項に記載の撮像装置。
【発明の詳細な説明】
【技術分野】
【０００１】
本発明は、被写体を照明する照明光を発光する発光部を有する撮像装置に関するものである。
【背景技術】
【０００２】
従来、装置本体に対して表示部を備える筐体が回転可能に連結されている、撮像機能を備えた折り畳み式の携帯電話機が存在する。この携帯電話機においては、表示部を備える筐体の表示部が設置されている面の反対側の面に、撮像レンズと発光部としてのフラッシュとが配置されている（例えば、特許文献１参照）。
【特許文献１】特開２００６−２３８２３２号公報
【発明の開示】
【発明が解決しようとする課題】
【０００３】
ところで、特許文献１記載の携帯電話機では、フラッシュから発光される照明光の配向状態を制御することができず、被写体に対して十分な照明を行なうことができない場合があった。
【０００４】
本発明の目的は、発光部から発光される照明光の配向状態を適切に制御することができる撮像装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の撮像装置（２）は、装置本体（４）と、装置本体（４）の前面（６）側に設けられた撮影レンズ（８）を介して被写体からの被写体光を撮像する撮像素子（１１０）と、撮像素子（１１０）で撮像した画像又は情報を電気的に表示可能な表示部（２２）を備え、且つ該表示部（２２）と共に、装置本体（４）の前面（６）側とは反対側である背面（１６）側に収容した第１状態と、該装置本体（４）の上面（１０）から突出せしめた第２状態とに切り替え可能な表示ユニット（２０）と、表示ユニット（２０）の表示部（２２）の設置面とは反対側に設けられ、前記被写体を照明する照明光を発光する発光部（２６）とを有することを特徴とする。
【発明の効果】
【０００７】
本発明の撮像装置によれば、発光部から発光される照明光の配向状態を適切に制御することができる。従って、被写体に対して適切な照明を行なって良好な撮影を行なうことができる。
【発明を実施するための最良の形態】
【０００８】
以下、図面を参照して本発明の第１の実施の形態に係る撮像装置としてのカメラについて説明する。図１は、この実施の形態に係るカメラが備える表示ユニットがカメラの背面側に収容されているときの外観を示す斜視図である。カメラ２は、金属やプラスチック等からなる装置本体４を備え、装置本体４は、前面６に交換（着脱）可能な撮影レンズ８を、上面１０に電源スイッチ１２及びシャッタボタン１４をそれぞれ備えている。また、装置本体４は、カメラ２の後方へ（図中の撮影レンズ８の光軸に平行な矢印Ｌの方向へ）下部が張り出すように所定の角度で傾斜した傾斜背面１６を有している。そして、傾斜背面１６上には、傾斜背面１６と略同一の形状を有する表示ユニット２０が、スライドレール２８，２８（図３参照）を介してカメラ背面に沿って上下方向にスライド可能に設置されている。
【０００９】
図２は、この実施の形態に係るカメラの表示ユニットがカメラの背面１６側に収容されているときの背面１６の構成を示す図である。カメラ２の傾斜背面１６上に設置された表示ユニット２０には、ＬＣＤタッチパネルからなる第１表示部２２が設置されている。第１表示部２２には、後述する撮像素子１１０によって撮像されたリアルタイム画像であるスルー画像、過去に撮像され記録媒体に記録された画像の再生画像、撮影モードや撮影条件等の情報の表示を行なうメニュー画面等が電気的に表示される。なお、メニュー画面等において表示されている項目の選択は、選択項目の表示位置を直接指で触れることで行なうことができる。
【００１０】
図３は、この実施の形態に係るカメラの表示ユニットがカメラの上面１０より突出しているときの外観を示す斜視図である。表示ユニット２０は、装置本体４の傾斜背面１６上を上方へスライドし、装置本体４の上面１０から一部が突出した状態にある。この図に示すように、表示ユニット２０の第１表示部２２が形成されている面とは反対側の面である裏面２０ａには、表示ユニット２０内に収容されている光源３２（図５参照）から発光される照明光を透過させるフラッシュ窓２６，２６及び表示ユニット２０が傾斜背面１６上をスライドする際に使用されるスライドレール２８，２８が設置されている。なお、光源３２としては、キセノン管であってもＬＥＤであっても良いが、本実施形態ではＬＥＤを使用するものとして説明する。また、フラッシュ窓は１つでも３つ以上であっても良い。
【００１１】
図４は、この実施の形態に係るカメラの表示ユニット２０がカメラの上面１０から突出しているときの背面の構成を示す図である。なお、図４は、表示ユニット２０を傾斜背面１６上を最上部までスライドさせた状態を示している。表示ユニット２０を最上部までスライドさせることにより露出した傾斜背面１６には、ＬＣＤタッチパネルからなる第２表示部３０が設置されている。第２表示部３０には、被写体のスルー画像、撮影画像の再生画像、メニュー画面等が電気的に表示され、表示されている項目の選択は、選択項目の表示位置を直接触れることで行なうことができる。なお、傾斜背面１６の上部１６ａには、表示ユニット２０をスライド移動させ、任意の位置において固定する可動機構としてのスライド機構１５０（図６参照）が設置されている。即ち、スライド機構１５０は、表示ユニット２０を装置本体４の傾斜背面１６上で上下方向にスライド移動させて、図１及び図２に示すような、表示ユニット２０が完全に傾斜背面１６側に収容されている第１状態と、図３及び図４に示すような、表示ユニット２０の少なくとも一部が装置本体４の上面１０から突出している第２状態とに切り替えることができる。なお、表示ユニット２０がスライド範囲の最上部以外の位置において固定され、第２表示部３０の一部のみが露出している場合でも、当該露出部分にメニュー画面等を表示させてカメラ２を使用することも可能である。
【００１２】
図５は、この実施の形態に係る表示ユニットの構成を示す断面図である。ここで、図５は、カメラ２の撮影レンズ８の光軸に平行な鉛直面による断面図である。表示ユニット２０の裏面２０ａの上部に設けられたフラッシュ窓２６はフレネルレンズで形成されており、表示ユニット２０内に設置されたＬＥＤ３２から発光される照明光を、カメラ２の前方へ向けて射出する。ＬＥＤ３２は、フラッシュ窓２６に接して設けられたＬＥＤケース３４内に固定されており、白色ＬＥＤから構成されている。なお、ＬＥＤケース３４の表面は反射面になっている。
【００１３】
図６は、この実施の形態に係るカメラのシステム構成を示すブロック図である。カメラ２の各部を統括的に制御するＣＰＵ１００には、ＣＰＵ１００への電力供給のオン・オフを切り替える電源スイッチ１２、レリーズ動作を指示するシャッタボタン１４、照明光を発光するＬＥＤ３２、ＣＣＤまたはＣＭＯＳ等により構成され、撮影レンズ８を介して入射した被写体光を撮像信号に変換する撮像素子１１０が接続されている。
【００１４】
また、ＣＰＵ１００には表示制御部１２０、タッチ検出部１２２が接続されている。表示制御部１２０は、第１表示部２２及び第２表示部３０に表示されるスルー画像、再生画像、メニュー画面等の表示制御を行い、タッチ検出部１２２は、カメラ２の使用者による第１表示部２２及び第２表示部３０へのタッチ操作を検出する。ＣＰＵ１００に接続されている検出部１３０は、スライド機構１５０内に設けられており、表示ユニット２０のカメラ２の上面１０からの突出状態に関する情報（以下、突出情報という。）、即ち表示ユニット２０の傾斜背面１６上におけるスライド量を検出する。また、ＣＰＵ１００に接続されている測距部１４０は、被写体距離等の被写体までの距離に関する情報（以下、距離情報という。）を測定する。
【００１５】
また、ＣＰＵ１００には可動量算出部１６０、配向制御部１７０が接続されている。可動量算出部１６０は、測距部１４０により測定された距離情報に基づいて、被写体に対して良好な配向状態の照明光を発光できるＬＥＤ３２の配置位置を算出し、当該配置位置にＬＥＤ３２を配置すべく、スライド機構１５０による表示ユニット２０のスライド移動量を算出する。配向制御部１７０は、可動量算出部１６０によって算出されたスライド移動量に従ってスライド機構１５０を動作させて、ＬＥＤ３２から発光される照明光の配向状態を制御する。
【００１６】
次に、図７のフローチャートを参照して、この実施の形態に係るカメラのフラッシュ撮影時に実行される処理について説明する。まず、カメラ２の電源スイッチ１２がオフの状態では、表示ユニット２０は、装置本体４の背面側に収容された第１状態にある（図１参照）。カメラ２の電源スイッチ１２が操作されて電源オン状態になると（ステップＳ１２）、配向制御部１７０がスライド機構１５０を駆動して表示ユニット２０をカメラ２の上方へスライド移動し、装置本体４の上面から一部が突出した第２状態に表示ユニット２０を配置する（ステップＳ１４）。このときのスライド移動量は、例えば、傾斜背面１６に設けられた第２表示部３０の下半分が露出する程度でよい。なお、本実施形態では上述のように、電源スイッチのオンで表示ユニット２０が自動的に上方へスライド移動するものとしている。しかし、これに限らず、電源スイッチのオンでは表示ユニット２０のスライド移動は行わず、使用者により、表示ユニット２０がマニュアルでスライド操作されるのを待機する動作フローにしても良い。また、後述のステップＳ１６におけるフラッシュ撮影モードの選択操作がされると表示ユニット２０を自動的に上方へスライドさせるようにしても良い。以上のようにして表示ユニット２０が第２状態に配置されると、表示ユニット２０が備える第１表示部２２の全面に被写体のスルー画像が表示され、第２表示部３０の露出した部分に、シャッタ速度、絞り値、フラッシュ使用の有無等の撮影条件の表示／設定画面が表示される。
【００１７】
使用者がフラッシュ撮影モードを選択すると（ステップＳ１６）、ＣＰＵ１００は、測距部１４０を用いて被写体までの距離情報を測定する（ステップＳ１８）。次に、ＣＰＵ１００は、検出部１３０を用いて表示ユニット２０の突出情報を検出する（ステップＳ２０）。距離情報の測定及び突出情報の検出が終了すると、可動量算出部１６０は、当該距離情報及び突出情報に基づいて、被写体に対して良好な配向状態の照明光を発光することができるスライド位置にＬＥＤ３２を配置すべく、スライド機構１５０による表示ユニット２０のスライド量を算出する（ステップＳ２２）
【００１８】
次に、配向制御部１７０は、スライド機構１５０を駆動し、表示ユニット２０を可動量算出部１６０によって算出されたスライド量だけスライド移動して突出状態を変更する（ステップＳ２４）。スライド機構１５０による移動が終了すると、フラッシュ発光準備の完了を知らせる表示が例えば第２表示部３０内に表示される。なお、表示ユニット２０の移動が完了するまでは、シャッタボタン１４が操作されてもレリーズ動作が実行されることはない。フラッシュ発光準備の完了表示が表示された後に、シャッタボタン１４が操作されると（ステップＳ２６）、ＬＥＤ３２から照明光が発光される。発光された照明光は、フラッシュ窓２６を透過して被写体を照明し、照明された被写体からの被写体光が撮影レンズ８を介して撮像素子１１０に送光され、撮像素子１１０から出力された撮像信号に基づく１フレーム分の画像データが記憶されることにより被写体の撮影が行なわれる（ステップＳ２８）。
【００１９】
フラッシュ撮影の終了後、第２表示部３０に表示されている撮影条件設定画面においてフラッシュ撮影モードの終了が選択されると（ステップＳ３０）、配向制御部１７０がスライド機構１５０を駆動して、フラッシュ撮影開始前の位置まで表示ユニット２０をスライド移動させる。なお、ステップＳ３０においてフラッシュ撮影モードの終了が選択されない場合には、ステップＳ１８に戻り、測距部１４０による被写体までの距離情報の測定が再び開始される。また、カメラ２の使用を終了するべく電源スイッチ１２が操作されると、電源オフ処理が実行され（ステップＳ３２）、スライド機構１５０が表示ユニット２０を下方へスライドして傾斜背面１６側に収容する（ステップＳ３４）。
【００２０】
この第１の実施の形態に係るカメラによれば、表示ユニット２０の突出状態を変更することにより、ＬＥＤ３２の発光時の配置位置（換言すれば表示ユニット２０のスライド（突出）位置）を制御して、ＬＥＤ３２から発光される照明光の配向状態を適切に制御することができる。従って、被写体に対して適切な照明を行なって良好な撮影を行なうことができる。
【００２１】
次に、本発明の第２の実施の形態に係る撮像装置としてのカメラについて説明する。なお、第２の実施の形態に係るカメラは、照明光を発光する発光部を回転させる回転機構及び当該回転機構による回転量を算出する回転量算出部を有している点で第１の実施の形態に係るカメラとは異なるが、これらの点以外は、第１の実施の形態に係るカメラと同一の構成を備えている。従って、第２の実施の形態の説明においては、第１の実施の形態に係るカメラと同一の構成については説明を省略する。また、この第２の実施の形態に係るカメラの説明においては、第１の実施の形態に係るカメラと同一の構成には第１の実施の形態で用いた符号と同一の符号を付して説明を行なう。
【００２２】
図８は、この実施の形態に係る表示ユニットの構成を示す断面図である。なお、図８は、カメラ２の撮影レンズ８の光軸に平行な鉛直面による断面図である。表示ユニット２０の内部には、裏面２０ａに設けられたフラッシュ窓２６に接するように、内部にＬＥＤ３２を有するＬＥＤケース３６が設けられている。ＬＥＤ３２は、ＬＥＤケース３６のフラッシュ窓２６に対向する面であるＬＥＤ設置面３８に設けられている。また、ＬＥＤ設置面３８は、ＬＥＤ設置面３８の後方に設けられた回転機構４０によって、図８に示す矢印の方向に回転可能に設置されている。即ち、回転機構４０によってＬＥＤ設置面３８を回転させることにより、フラッシュ窓２６から射出した照明光の配向状態を制御することができる。
【００２３】
図９は、この実施の形態に係るカメラのシステム構成を示すブロック図である。図９に示すように、この実施の形態に係るカメラのシステム構成においては、カメラ２が備えるＣＰＵ１００に回転量算出部１８０が接続されていると共に、配向制御部１７０に回転機構４０が接続されている。回転量算出部１８０は、測距部１４０により測定された距離情報及び検出部１３０により検出された突出情報に基づいて、被写体に対して良好な配向状態の照明光が発光されるような配置角度にＬＥＤ３２を配置すべく、ＬＥＤ３２の表示ユニット２０に対する回転量、即ち回転機構４０によるＬＥＤ設置面３８の回転量を算出する。また、配向制御部１７０は、回転量算出部１８０によって算出された回転量に従って回転機構４０を動作させる。
【００２４】
次に、図１０のフローチャートを参照して、この実施の形態に係るカメラの使用時に実行される処理について説明する。なお、図１０におけるステップＳ１２〜Ｓ２０まで、及びステップＳ２６〜Ｓ３４までは、第１の実施の形態において実行される処理（図７参照）と同様なので説明は省略する。
【００２５】
測距部１４０による距離情報の測定及び検出部１３０による突出情報の検出が終了すると、回転機構４０に設けられている図示しないロータリエンコーダによりＬＥＤ設置面３８の回転角度が検出される（ステップＳ２００）。次に、距離情報、突出情報及びＬＥＤ設置面３８の回転角度に基づいて、可動量算出部１６０により表示ユニット２０のスライド量を算出し（ステップＳ２１０）、回転量算出部１８０により被写体に対して良好な配向状態の照明光を発光することができる角度にＬＥＤ３２を配置すべく、ＬＥＤ設置面３８の表示ユニット２０に対する回転量を算出する（ステップＳ２２０）。
【００２６】
次に、配向制御部１７０は、スライド機構１５０を駆動して算出されたスライド量だけ表示ユニット２０をスライド移動させると共に（ステップＳ２３０）、回転機構４０を駆動して算出された回転量だけＬＥＤ設置面３８を回転させる（ステップＳ２４０）。ＬＥＤ設置面３８の回転が終了すると、フラッシュ発光準備の完了を知らせる表示が例えば第２表示部３０内に表示されるため、使用者はシャッタボタン１４を操作することにより、被写体の撮影を行なうことができる。
【００２７】
この第２の実施の形態に係るカメラによれば、表示ユニット２０の突出状態を変更し、ＬＥＤ３２の表示ユニット２０に対する角度を制御することにより、ＬＥＤ３２の発光時の配置状態を制御して、ＬＥＤ３２から発光される照明光の配向状態を適切に制御することができる。従って、被写体に対して適切な照明を行なって良好な撮影を行なうことができる。
【００２８】
次に、本発明の第３の実施の形態に係る撮像装置としてのカメラについて説明する。なお、第３の実施の形態に係るカメラは、表示ユニットを第１状態と第２状態に切り替えるための可動機構として、表示ユニットを装置本体に対して回転駆動させる可動機構を有している点で第２の実施の形態に係るカメラとは異なるが、これらの点以外は、第２の実施の形態に係るカメラと同一の構成を備えている。従って、第３の実施の形態の説明においては、第２の実施の形態に係るカメラと同一の構成については説明を省略する。また、この第３の実施の形態に係るカメラの説明においては、第２の実施の形態に係るカメラと同一の構成には第２の実施の形態で用いた符号と同一の符号を付して説明を行なう。
【００２９】
図１１は、この実施の形態に係るカメラの外観を示す側面図である。カメラ１０２は、表示ユニット２０の配置状態を、装置本体４の傾斜背面１６側に収容されている第１状態と、装置本体４の上面１０から突出している第２状態とに切り替える可動機構として表示ユニット回転機構１５２を備えている。即ち、表示ユニット２０は、カメラ１０２に対して、図１１に示す矢印方向に回転自在に装着されている。表示ユニット２０が、図１１において一点鎖線で示すようなカメラ背面に収納された第１状態にある場合には、装置本体４の傾斜背面１６が備える第２表示部３０は、表示ユニット２０によって完全に遮蔽されている。また、表示ユニット２０が、図１１において実線で示すようなカメラ上面に突出し照明撮影が可能な第２状態にある場合には、表示ユニット２０が備えるフラッシュ窓２６がカメラ１０２の前方（被写体側）に向かって露出し、第１表示部２２及び第２表示部３０がカメラ１０２の後方（カメラ背面側）に向かって露出している。
【００３０】
図１２は、この実施の形態に係る表示ユニットの構成を示す断面図である。なお、図１２は、カメラ１０２の撮影レンズ８の光軸に平行な鉛直面による断面図である。ＬＥＤ３２が設置されているＬＥＤ設置面３８は、ＬＥＤ設置面３８の背面側に設けられた回転機構４０によって、図１２に示す矢印の方向に回転可能に設けられている。即ち、この実施の形態に係るカメラにおいては、表示ユニット回転機構１５２によって表示ユニット２０を回転して、図１２に角度αで示す表示ユニット２０の傾斜角、ひいてはフラッシュ窓２６の傾斜角を変化させると共に、回転機構４０によってＬＥＤ設置面３８を回転して、図１２に角度βで示すＬＥＤ設置面３８の傾斜角を変化させることで、フラッシュ窓２６から射出される照明光の配向状態を制御することができる。
【００３１】
図１３は、この実施の形態に係るカメラのシステム構成を示すブロック図である。この実施の形態においては、配向制御部１７０に表示ユニット回転機構１５２が接続されている。ＣＰＵ１００に接続されている可動量算出部１６０は、測距部１４０により測定された距離情報や検出部１３０により検出された突出情報（換言すれば表示ユニット２０のカメラ本体に対する回転量）に基づいて、被写体に対して良好な配向状態の照明光が発光される配置位置にＬＥＤ３２を配置すべく、表示ユニット回転機構１５２による表示ユニット２０の回転量、即ち図１２に示す角度αを算出する。配向制御部１７０は、可動量算出部１６０によって算出された回転量に従って表示ユニット回転機構１５２を動作させる。
【００３２】
また、ＣＰＵ１００に接続されている回転量算出部１８０は、測定された距離情報や検出された突出情報に基づいて、被写体に対して良好な配向状態の照明光が発光される配置角度にＬＥＤ３２を配置すべく、ＬＥＤ３２の表示ユニット２０に対する回転量、即ち図１２に示す角度βの変化量を算出する。そして、配向制御部１７０は、回転量算出部１８０によって算出された回転量に従って回転機構４０を動作させ、ＬＥＤ設置面３８を所定の角度に配置する。
【００３３】
次に、図１４のフローチャートを参照して、この実施の形態に係るカメラの使用時に実行される処理について説明する。まず、カメラ１０２の電源がオフの状態では、表示ユニット２０は、カメラ１０２の装置本体４の背面側に収容された第１状態にある（図１１の一点鎖線参照）。カメラ１０２の使用者が、手動で表示ユニット２０を回転して表示ユニット２０が装置本体４から突出した第２状態にすると（ステップＳ１００）、第１表示部２２及び第２表示部３０が共に露出し、カメラ１０２の電源がオンされる（ステップＳ１０２）。なお、電源のオン／オフの切り替えは、表示ユニット２０を装置本体４から突出させた後に、カメラ１０２が備える電源スイッチ１２を操作して行なうように構成してもよい。
【００３４】
カメラ１０２が電源オン状態になると、第１表示部２２の全面に被写体のスルー画像が表示され、第２表示部３０には撮影条件の表示／設定画面が表示される。そして、フラッシュ撮影モードが選択されると（ステップＳ１０４）、カメラ１０２が備えるＣＰＵ１００は、測距部１４０を用いて被写体までの距離情報を測定し（ステップＳ１０６）、検出部１３０を用いて表示ユニット２０の突出情報、即ち表示ユニット２０の傾斜角αを検出する（ステップＳ１０８）。次に、ＣＰＵ１００は、配向制御部１７０を解して接続されている回転機構４０に設けられている図示しないロータリエンコーダにより、ＬＥＤ３２の表示ユニット２０に対する角度、即ちＬＥＤ設置面３８の傾斜角βを検出する（ステップＳ１１０）。距離情報の測定、傾斜角α及びβの検出が終了すると、可動量算出部１６０は、これらの情報に基づいて、被写体に対して良好な配向状態の照明光を発光することができる位置にＬＥＤ３２を配置すべく、表示ユニット回転機構１５２による表示ユニット２０の回転量を算出する（ステップＳ１１２）。また、回転量算出部１８０は、これらの情報に基づいて、被写体に対して良好な配向状態の照明光を発光することができる角度にＬＥＤ３２を配置すべく、回転機構４０によるＬＥＤ設置面３８の回転量を算出する（ステップＳ１１４）。
【００３５】
次に、配向制御部１７０は、表示ユニット回転機構１５２を駆動して表示ユニット２０を算出された回転量だけ回転させると共に（ステップＳ１１６）、回転機構４０を駆動して算出された回転量だけＬＥＤ設置面３８を回転させる（ステップＳ１１８）。表示ユニット２０及びＬＥＤ設置面３８の回転が終了すると、フラッシュ発光準備の完了を知らせる表示が例えば第２表示部３０内に表示される。そして、シャッタボタン１４が操作されると（ステップＳ１２０）、ＬＥＤ３２から照明光が発光され、照明された被写体の撮影が行なわれる（ステップＳ１２２）。
【００３６】
フラッシュ撮影の終了後、第２表示部３０に表示されている撮影条件設定画面においてフラッシュ撮影モードの終了が選択されると（ステップＳ１２４）、配向制御部１７０が表示ユニット回転機構１５２を駆動して、フラッシュ撮影開始前の位置まで表示ユニット２０を回転させる。なお、ステップＳ１２４においてフラッシュ撮影モードの終了が選択されない場合には、ステップＳ１０６に戻り、測距部１４０による被写体までの距離情報の測定が再び開始される。また、カメラ１０２の使用を終了する場合には、表示ユニット２０を手動で回転して傾斜背面１６側に収容された第１状態にすると（ステップＳ１３０）、電源オフ処理が実行される（ステップＳ１３２）。なお、電源スイッチ１２を操作することにより、カメラ１０２の電源をオフにできるようにしてもよい。
【００３７】
この第３の実施の形態に係るカメラによれば、表示ユニット２０の突出状態を変更し、当該突出状態及び被写体までの距離情報に基づいて、ＬＥＤ３２の表示ユニット２０に対する角度を制御することにより、ＬＥＤ３２から発光される照明光の配向状態を適切に制御することができる。従って、被写体に対して適切な照明を行なって良好な撮影を行なうことができる。
【００３８】
なお、上述の第１及び第２の実施の形態においては、カメラ２の電源がオンになると、配向制御部１７０がスライド機構１５０を駆動して表示ユニット２０をカメラ２の上方へスライド移動させる構成としているが、このような構成に限られず、例えばカメラ２の使用者が表示ユニット２０を手動でスライドさせ、装置本体４の傾斜背面１６に設けられた第２表示部３０が露出したときにカメラ２の電源がオンになるように構成してもよい。
【００３９】
また、上述の実施の形態においては、傾斜背面１６に設けられた第２表示部３０は傾斜背面１６に対して固定されているが、このような構成に限られず、例えば傾斜背面１６上でスライドや回転ができるように構成してもよい。
【００４０】
なお、本実施形態では、撮影者の第２表示部３０に対する視認性を鑑みて背面を傾斜させた構造にしたが、本発明はこれに限られるものではない。カメラ背面を撮影レンズ光軸にほぼ垂直に形成し、第２表示部３０もその光軸に略垂直な面に配設させたカメラにおいても本発明は適用可能である。また、上記実施形態ではレンズ交換式のカメラについて説明したが、本発明はこれに限られず、レンズ一体式カメラにも適用可能である。
【図面の簡単な説明】
【００４１】
【図１】第１の実施の形態に係る表示ユニットが収容されているときのカメラの外観を示す斜視図である。
【図２】第１の実施の形態に係る表示ユニットが収容されているときのカメラの背面の構成を示す図である。
【図３】第１の実施の形態に係る表示ユニットが突出しているときのカメラの外観を示す斜視図である。
【図４】第１の実施の形態に係る表示ユニットが突出しているときのカメラの背面の構成を示す図である。
【図５】第１の実施の形態に係る表示ユニットの構成を示す断面図である。
【図６】第１の実施の形態に係るカメラのシステム構成を示すブロック図である。
【図７】第１の実施の形態に係るカメラのフラッシュ撮影時に実行される処理を示すフローチャートである。
【図８】第２の実施の形態に係る表示ユニットの構成を示す断面図である。
【図９】第２の実施の形態に係るカメラのシステム構成を示すブロック図である。
【図１０】第２の実施の形態に係るカメラのフラッシュ撮影時に実行される処理を示すフローチャートである。
【図１１】第３の実施の形態に係る表示ユニットの構成を示すカメラの側面図である。
【図１２】第３の実施の形態に係る表示ユニットの構成を示す断面図である。
【図１３】第３の実施の形態に係るカメラのシステム構成を示すブロック図である。
【図１４】第３の実施の形態に係るカメラのフラッシュ撮影時に実行される処理を示すフローチャートである。
【符号の説明】
【００４２】
２，１０２…カメラ、４…装置本体、６…前面、８…撮影レンズ、１０…上面、１６…傾斜背面、２０…表示ユニット、２０ａ…裏面、２２…第１表示部、２６…フラッシュ窓、２８…スライドレール、３０…第２表示部、３２…ＬＥＤ、３８…ＬＥＤ設置面、４０…回転機構、１００…ＣＰＵ、１１０…撮像素子、１２０…表示制御部、１３０…検出部、１４０…測距部、１５０…スライド機構、１５２…表示ユニット回転機構、１６０…可動量算出部、１７０…配向制御部
【図１】
2010016504.tif 000003
【図２】
2010016504.tif 000004
【図３】
2010016504.tif 000005
【図４】
2010016504.tif 000006
【図５】
2010016504.tif 000007
【図６】
2010016504.tif 000008
【図７】
2010016504.tif 000009
【図８】
2010016504.tif 000010
【図９】
2010016504.tif 000011
【図１０】
2010016504.tif 000012
【図１１】
2010016504.tif 000013
【図１２】
2010016504.tif 000014
【図１３】
2010016504.tif 000015
【図１４】
2010016504.tif 000016